(57)【特許請求の範囲】
【請求項１】
鋼矢板または鋼管矢板で形成された岸壁の外面を覆ってドライな空間を形成する作業函を装着する方法であり、該作業函が当接される岸壁の表面に、海底まで達する平鋼板を設置して鋼矢板の凹部または鋼管矢板の鋼管間の凹部に形成された空隙部にグラウト材を充填して平らな装着部を形成し、該装着部に作業函を押し付けて装着することを特徴とする作業函の装着方法。
【請求項２】
鋼矢板または鋼管矢板で形成された岸壁の外面を覆ってドライな空間を形成する作業函を装着する方法であり、該作業函の底板が当接される岸壁の表面に設置した平鋼板と、鋼矢板の凹部または鋼管矢板の鋼管間の凹部に設置した底部プレートとで、これらの凹部に空隙部を設け、該空隙部にグラウト材を充填して平らな装着部を形成し、該装着部に作業函の底板を押し付けて装着することを特徴とする作業函の装着方法。
【請求項３】
鋼管矢板で形成された岸壁の外面を覆ってドライな空間を形成する作業函を装着する方法であり、該作業函の底板が当接される岸壁の鋼管矢板の鋼管間に平鋼板と底板プレートとを設置して空隙部を形成し、該空隙部にグラウト材を充填して平鋼板の平滑部と鋼管矢板の湾曲部とからなる装着部を形成し、これら平滑部と湾曲部とからなる装着部にあわせた形状の底板を備えた作業函を装着部に押し付けて装着することを特徴とする作業函の装着方法。
【発明の詳細な説明】
【０００１】
【発明の属する技術分野】
本発明は作業函の装着方法に関するものである。
【０００２】
【従来の技術】
鋼矢板や鋼管矢板などの岸壁または護岸構造物の飛沫帯、干満帯あるいは水中部を補修・補強する場合は、図１２に示すように、作業函２３を岸壁構造物などの対象物２４に装着し、該対象物２４と作業函２３との間にドライな作業空間２５を形成していた。この作業空間２５を形成するには、対象物２４の形状について詳細な事前調査をし、これにあわせた作業函２３を工場で製作していたため、対象物の形状によっては作業函の製作が非常に複雑となっていた。
【０００３】
【発明が解決しようとする課題】
しかし、上記のような作業函の装着方法は、対象物の形状にあわせて作業函を製作していたため対象物の事前調査と、作業函の工場製作とに高度な精度が要求されていた。
【０００４】
本発明は上記のような問題に鑑みてなされたものであり、その目的は、対象物の詳細な事前調査や、複雑な作業函を製作しなくても作業函が対象物に装着できる方法を提供することである。
【０００５】
【課題を解決するための手段】
以上の課題を解決するための作業函の装着方法は、鋼矢板または鋼管矢板で形成された岸壁の外面を覆ってドライな空間を形成する作業函を装着する方法であり、該作業函が当接される岸壁の表面に、海底まで達する平鋼板を設置して鋼矢板の凹部または鋼管矢板の鋼管間の凹部に形成された空隙部にグラウト材を充填して平らな装着部を形成し、該装着部に作業函を押し付けて装着することを特徴とする。
また作業函の装着方法は、鋼矢板または鋼管矢板で形成された岸壁の外面を覆ってドライな空間を形成する作業函を装着する方法であり、該作業函の底板が当接される岸壁の表面に設置した平鋼板と、鋼矢板の凹部または鋼管矢板の鋼管間の凹部に設置した底部プレートとで、これらの凹部に空隙部を設け、該空隙部にグラウト材を充填して平らな装着部を形成し、該装着部に作業函の底板を押し付けて装着することを特徴とする。
また作業函の装着方法は、鋼管矢板で形成された岸壁の外面を覆ってドライな空間を形成する作業函を装着する方法であり、該作業函の底板が当接される岸壁の鋼管矢板の鋼管間に平鋼板と底板プレートとを設置して空隙部を形成し、該空隙部にグラウト材を充填して平鋼板の平滑部と鋼管矢板の湾曲部とからなる装着部を形成し、これら平滑部と湾曲部とからなる装着部にあわせた形状の底板を備えた作業函を装着部に押し付けて装着することを特徴とする。
【０００６】
対象物における作業函が装着される箇所が平らになるので、作業函の製作が簡単にできるとともに、作業函の装着も簡単にできる。対象物における作業函の装着箇所を平板で平らにすることができる。また平板と対象物との間が密封されるので、対象物と作業函との水密性が高くなる。
【０００７】
【発明の実施の形態】
以下、本発明の作業函の装着方法の実施の形態について説明する。本発明の実施の形態は第１から第３までがあり、各実施の形態において同じ構成は同じ符号を付して説明し、異なった構成にのみ異なった符号を付して説明する。
【０００８】
図１〜図３は作業函の装着方法の第１の実施の形態を示し、対象物としての岸壁２に作業函３を装着するものである。この岸壁２は鋼管５を連結プレート６で接続した鋼管矢板１で形成されている。また作業函３は工場で製作されたものであり、Ｈ形鋼７で形成された枠体８が側板９と底板１０で覆われて前面側（装着側）が開口した平面コ字状に形成されている。
【０００９】
この作業函３における側枠１１の前面は、鋼管５に密着できるように湾状に形成され、かつ止水パッキン１２が設けられている。なお側枠１１の前面に止水パッキン１２を設けた場合は、湾状に形成しなくてもよい。
【００１０】
次に、このような作業函３を岸壁２に装着する方法について説明する。まず、作業函３が当接される鋼管矢板１の鋼管５の表面に、海底１４まで達する平鋼板１３を溶接・設置する。そして、この平鋼板１３と連結プレート６との間に形成された空隙部１５に、モルタルなどのグラウト材１８を充填して平らな装着部１６を形成する。
【００１１】
次に、この装着部１６に水上輸送された作業函３を仮装着する。このとき作業函３の内側は水が入った状態であるが、この水をポンプで排水すると水圧で作業函３が装着部１６に押し付けられて本装着される。また作業函３と装着部１６とは止水パッキン１２で密着されているため、作業函３の内側にドライな作業空間１７が形成される。このように作業函３を対象物にあわせた形状にするのではなく、対象物の装着箇所を平らにすることで、作業函３の製作や装着が簡単にできるようになる。
【００１２】
図４および図５は第２の実施の形態の作業函の装着方法を示すものである。この方法は、作業函３の底板１０が当接される箇所だけに装着部１６を形成したものであり、それ以外は第１の実施の形態と同じ方法である。すなわち、平鋼板１３を海底１４にまで設けずに、底板１０が設置される鋼管５の表面にだけ設け、かつグラウト材１８の落下を防ぐ底部プレート１９を鋼管５間に設けたものである。これによって装着部１６が効率的、経済的、かつ簡単に形成できるという利点がある。
【００１３】
図６〜図８は、第３の実施の形態の作業函の装着方法を示し、装着部１６を各鋼管５の間にだけ設けたものである。これは隣接した鋼管５の間に、第１の実施の形態と同じ高さの平鋼板１３と底部プレート１９とを設けて平面台形の空隙部２０を形成し、ここにグラウト材１８を充填して平滑部２１を形成したものである。すなわち平滑部２１と湾曲部２２とから装着部１６が形成され、作業函３の底板１０がこれにあわせた形状になっている。これは平鋼板１３と底部プレート１９とをさらに小さくすることができ、かつ作業函３の底板１０前面もわずかな加工だけですむという利点がある。このような構成以外は上記と同じ方法であり、上記と同じように作業函３を効率的、経済的かつ簡単に装着することができる。
【００１４】
図９および図１０は、岸壁２の前面側および背面側に、海底１４にまで達する平鋼板１３を溶接して装着部１６を形成し、これらの装着部１６に上記と同じ方法で作業函３を装着したものである。このように本願発明は岸壁２の片面側だけでなく、両面側にも作業函３を装着することができる。この岸壁２の両面側に作業函３を装着する方法は、上記第２および第３の実施の形態においても同じ方法で行うことができる。なお、上記の各実施の形態において作業函３は５本の鋼管５にわたって装着されているが、５本を越える鋼管５または５本未満の鋼管５にも装着することができる。
【００１５】
また図１１は、鋼矢板１ａで形成した岸壁２ａに作業函３を装着する方法を示したものである。この装着も前記と同様に、平鋼板１３で鋼矢板１ａに装着部１６を形成して行うものである。
【００１６】
【発明の効果】
対象物の作業函が装着される箇所が平らになるので、作業函の製作が簡単にできるとともに作業函の装着も簡単にできる。
【００１７】
対象物における作業函の装着箇所を平板により平らにすることができる。
【００１８】
平板と対象物との間が密封されるので、対象物と作業函との水密性が高くなる。
【図面の簡単な説明】
【図１】   第１の実施の形態の作業函の装着方法を示す正面図である。
【図２】 図１のＡ−Ａ線断面図である。
【図３】図２のＢ−Ｂ線断面図である。
【図４】第２の実施の形態の作業函の装着方法を示す正面図である。
【図５】図４のＣ−Ｃ線断面図である。
【図６】第３の実施の形態の作業函の装着方法を示す正面図である。
【図７】 図６のＤ−Ｄ線断面図である。
【図８】図７のＥ−Ｅ線断面図である。
【図９】岸壁の両側面に作業函を装着した断面図である。
【図１０】 図９のＦ−Ｆ線断面図である。
【図１１】鋼矢板からなる岸壁に作業函を装着した断面図である。
【図１２】（１）は従来の作業函の装着方法を示す水平断面図、（２）は同垂直断面図である。
【符号の説明】
１  鋼管矢板
２  岸壁
３、２３  作業函
５  鋼管
６  連結プレート
７  Ｈ形鋼
８  枠体
９  鋼板
１０  底板
１１  側枠
１２  止水パッキン
１３  平鋼板
１４  海底
１５、２０  空隙部
１６  装着部
１７、２５  作業空間
１８  グラウト材
１９  底部プレート
２１  平滑部
２２  湾曲部
２４  対象物
【図１】
0003728193.tif 000002
【図２】
0003728193.tif 000003
【図３】
0003728193.tif 000004
【図４】
0003728193.tif 000005
【図５】
0003728193.tif 000006
【図６】
0003728193.tif 000007
【図７】
0003728193.tif 000008
【図８】
0003728193.tif 000009
【図９】
0003728193.tif 000010
【図１０】
0003728193.tif 000011
【図１１】
0003728193.tif 000012
【図１２】
0003728193.tif 000013